(57)【特許請求の範囲】
【請求項１】
軸筒外周面から突出する押子の進退操作によって軸筒前端から筆記部を出没するようにした出没式筆記具において、
軸筒の外周側に、軸筒径方向へ貫通するとともに軸筒軸方向へわたるガイド孔と、該ガイド孔の前方に連続するとともに該ガイド孔よりも軸筒径方向の幅が大きい挿入孔とを設け、
前記押子に、前記ガイド孔に嵌め合わせられて軸筒軸方向へ導びかれる被ガイド部と、該被ガイド部の軸筒中心側で軸筒径方向へ突出する抜止突起とを設け、
前記押子をその前端側から前記挿入孔に挿入した後、軸筒後方へずらして、前記被ガイド部を前記ガイド孔に嵌め合わせるとともに、前記抜止突起を前記ガイド孔の裏側に掛合するようにした出没式筆記具であって、
軸筒の周壁に窓部を設けるとともに、軸筒内に、前記窓部に連通するように前記ガイド孔及び前記挿入孔を形成した押子ガイド体を備え、
前記押子ガイド体は、前進位置にある前記押子を係止した状態で、軸筒に相対して軸方向へ往復動するように設けられるとともに、後端側のノック部を軸筒後端に挿通して外部へ突出していることを特徴とする出没式筆記具。
【請求項２】
前記押子は、前記ガイド孔と前記挿入孔を合わせた軸筒軸方向の長さよりも長く形成され、その後端寄りに前記抜止突起を配置していることを特徴とする請求項１記載の出没式筆記具。
【請求項３】
前記押子には、後端部が軸筒中心方向へ押圧されることで前端部を軸筒外周面から離間して開放する開閉操作機能付のクリップが支持され、
前記押子の後端側には、軸筒外へ突出して前記クリップを開閉回動可能に支持する支持突部が設けられ、前記抜止突起は、前記支持突部のクリップ支点部よりも後方側に配置されていることを特徴とする請求項１又は２記載の出没式筆記具。
【請求項４】
前記押子は、前記ガイド孔よりも軸筒径方向の幅が広く、且つ前記ガイド孔の表側の縁に沿うように軸筒軸方向へ延設されたスライド部を備え、該スライド部の軸筒中心側の面に前記被ガイド部を有するとともに、前記抜止突起を前記被ガイド部から軸筒径方向の両側へ突出していることを特徴とする請求項１乃至３何れか１項記載の出没式筆記具。
【発明の詳細な説明】
【技術分野】
【０００１】
本発明は、軸筒外周面から露出する押子を進退操作することで、軸筒の前端から筆記部を出没させる出没式筆記具に関するものである。
【背景技術】
【０００２】
従来、この種の出没式筆記具には、特許文献１に記載されたもののように、軸筒を構成する後軸の周壁に、周方向に間隔を置いて複数の窓部を設け、これら窓部のそれぞれから押子を突出させるとともに、これら押子のうちの一つに開閉操作機能付きクリップを支持するようにしたものがある。
このような出没式筆記具を組立てる際には、リフィールの後端部に接続された押子を、後軸の前端開口部に挿入し、該押子を後軸の内部から前記窓部に挿通させて後軸の周壁に係合させるようにしている。
【０００３】
ところで、このような出没式筆記具では、クリップ支持用の押子が、そのクリップ支持構造等のために他の押子よりも大きい。このため、このクリップ支持用の押子を、後軸内に挿入して後方へ移動し、後軸内から窓部に挿通して係合させる作業が困難になる場合があった。
そこで、軸筒後端側の窓孔に対し外部から押子を挿入するようにした構造が望まれる。このような構造の一例として、例えば特許文献２に記載された発明では、操作体（７）の両側壁に係止突起（７６）を設け、窓孔（５）の側壁に、幅狭部（５１）と該幅狭部（５１）より広い幅を有する幅広部（５２）とを設け、前記幅狭部（５１）の内面と前記操作体（７）の係止突起（７６）とが摺動可能に抜け止め係止され、前記窓孔（５）の幅広部（５２）を、前記操作体（７）の係止突起（７６）が通過可能に構成し、押子（操作体７）を、窓孔（５）を介して、軸筒（２）内から取り外し可能且つ軸筒（２）内に挿入可能に構成してなり、ユーザーが好みの筆記体及び押子（操作体）を自由に交換できるようにしている。
【０００４】
しかしながら、前記した後者従来技術によれば、ユーザー等が外すことを意図しないで、あるいは子供等が悪戯で、押子（操作体７）を引っ張った場合でも、押子（操作体７）が容易に外れてしまうおそれがある。特に、押子に、前者従来技術の開閉操作機能付きクリップを一体的に組み合わせた構成とした場合には、前記クリップを前進させる際に前方向の外力が作用し、前記クリップを衣類等に掛止する際には後方向の外力が作用する等、押子に対し多方向の外力が作用するため、通常の使用状態であっても、前記外力の加わり方によっては押子が容易に外れてしまうおそれがある。
【先行技術文献】
【特許文献】
【０００５】
【特許文献１】特開２００５−１１１８７６号公報
【特許文献２】特開２００９−２８６１１１号公報
【発明の概要】
【発明が解決しようとする課題】
【０００６】
本発明は上記従来事情に鑑みてなされたものであり、その課題とする処は、押子を外部から容易に組み付けることができる上、該押子が誤って外れてしまうのを防ぐことができる出没式筆記具を提供することにある。
【課題を解決するための手段】
【０００７】
上記課題を解決するための技術的手段は、軸筒外周面から突出する押子の進退操作によって軸筒前端から筆記部を出没するようにした出没式筆記具において、軸筒の外周側に、軸筒径方向へ貫通するとともに軸筒軸方向へわたるガイド孔と、該ガイド孔の前方に連続するとともに該ガイド孔よりも軸筒径方向の幅が大きい挿入孔とを設け、前記押子に、前記ガイド孔に嵌め合わせられて軸筒軸方向へ導びかれる被ガイド部と、該被ガイド部の軸筒中心側で軸筒径方向へ突出する抜止突起とを設け、前記押子をその前端側から前記挿入孔に挿入した後、軸筒後方へずらして、前記被ガイド部を前記ガイド孔に嵌め合わせるとともに、前記抜止突起を前記ガイド孔の裏側に掛合するようにした出没式筆記具であって、軸筒の周壁に窓部を設けるとともに、軸筒内に、前記窓部に連通するように前記ガイド孔及び前記挿入孔を形成した押子ガイド体を備え、前記押子ガイド体は、前進位置にある前記押子を係止した状態で、軸筒に相対して軸方向へ往復動するように設けられるとともに、後端側のノック部を軸筒後端に挿通して外部へ突出していることを特徴とする。
【発明の効果】
【０００８】
本発明は、以上説明したように構成されているので、以下に記載されるような作用効果を奏する。
押子をその前端側から挿入孔に挿入した後、軸筒後方へずらせば、該押子の被ガイド部がガイド孔に嵌り合うとともに、同押子の抜止突起がガイド孔の裏側で軸筒径方向へ突出して掛合する。この掛合状態の押子は、軸筒径方向や軸筒後方へ引張っても抜け外れることはない。
よって、押子を外部から容易に組み付けることができる上、該押子が誤って外れてしまうのを防ぐことができる。
【図面の簡単な説明】
【０００９】
【図１】本発明に係る出没式筆記具の一例を示す断面図である。
【図２】クリップ支持用押子の一例を示す斜視図である。なお、本図では、輪郭を明確にするために、曲面と平面の境目を実線で示している。
【図３】押子ガイド体の一例を示す斜視図である。
【図４】同押子ガイド体の一部分を切欠して内部構造を見せるようにした斜視図である。
【図５】クリップ支持用押子を組み付けようとしている状態の要部斜視図である。
【図６】クリップ支持用押子の組付け手順を示す構造図であり、（ａ）は押子を押子ガイド体に組み付ける前の状態、（ｂ）は押子を押子ガイド体に押子を挿入した状態、（ｃ）は押子を後退させて押子ガイド体に組付けた状態を示す。
【図７】クリップ支持用押子を前進位置で掛止した状態を示す断面図である。
【図８】直接操作用押子の一例を示す側面図である。
【発明を実施するための形態】
【００１０】
本発明を実施するための一形態は、軸筒外周面から突出する押子の進退操作によって軸筒前端から筆記部を出没するようにした出没式筆記具において、軸筒の外周側に、軸筒径方向へ貫通するとともに軸筒軸方向へわたるガイド孔と、該ガイド孔の前方に連続するとともに該ガイド孔よりも軸筒径方向の幅が大きい挿入孔とを設け、前記押子に、前記ガイド孔に嵌め合わせられて軸筒軸方向へ導びかれる被ガイド部と、該被ガイド部の軸筒中心側で軸筒径方向へ突出する抜止突起とを設け、前記押子をその前端側から前記挿入孔に挿入した後、軸筒後方へずらして、前記被ガイド部を前記ガイド孔に嵌め合わせるとともに、前記抜止突起を前記ガイド孔の裏側に掛合するようにした。
【００１１】
さらに、押子をより外れ難くする形態としては、前記押子は、前記ガイド孔と前記挿入孔を合わせた軸筒軸方向の長さよりも長く形成され、その後端寄りに前記抜止突起を配置している。
【００１２】
さらに、押子の外れ防止効果及びがたつき防止効果を顕著に発揮する形態としては、前記押子には、後端部が軸筒中心方向へ押圧されることで前端部を軸筒外周面から離間して開放する開閉操作機能付のクリップが支持され、
前記押子の後端側には、軸筒外へ突出して前記クリップを開閉回動可能に支持する支持突部が設けられ、前記抜止突起は、前記支持突部のクリップ支点部よりも後方側に配置されている。
【００１３】
さらに、押子を外れ難くするとともに該押子の進退動作を良好にする具体的形態としては、前記押子は、前記ガイド孔よりも軸筒径方向の幅が広く、且つ前記ガイド孔の表側の縁に沿うように軸筒軸方向へ延設されたスライド部を備え、該スライド部の軸筒中心側の面に前記被ガイド部を有するとともに、前記抜止突起を前記被ガイド部から軸筒径方向の両側へ突出している。
【００１４】
さらに、前進した際の押子を軸筒後方へ突出するノック部の操作により進退可能にした上で、該押子を外れ難くする形態としては、軸筒の周壁に窓部を設けるとともに、軸筒内に、前記窓部に連通するように前記ガイド孔及び前記挿入孔を形成した押子ガイド体を備え、前記押子ガイド体は、前進位置にある前記押子を係止した状態で、軸筒に相対して軸方向へ往復動するように設けられるとともに、後端側のノック部を軸筒後端に挿通して外部へ突出している。
【００１５】
以下、上記形態を適用した好ましい具体例を、図面に基づいて詳細に説明する。
なお、以下の説明中、「軸筒軸方向」とは、軸筒１０の軸心（中心線）が延びる方向（図１に示す筆記具１の前後方向）を意味する。
また、「軸筒径方向」とは、軸筒１０の直径方向を意味する。
また、「軸筒中心方向」とは、軸筒径方向に沿って軸筒中心へ向かう方向を意味する。
また、「軸筒径外方向」とは、軸筒径方向に沿って軸筒外方へ向かう方向を意味する。
【００１６】
図１は、本発明に係わる出没式筆記具の一例を示している。
この出没式筆記具１は、軸筒１０と、該軸筒１０内に収納された複数（本実施の形態の一例では４本）のリフィール２１，２２と、これらリフィール２１，２２をそれぞれ軸方向へ案内するリフィールガイド部材３０と、押子４１，４２の進退を案内する押子ガイド体５０と、リフィール２１，２２の後端にそれぞれ接続されたクリップ支持用押子４１及び直接操作用押子４２とを備え、前記クリップ支持用押子４１を、軸筒１０の外周側から内部へ組み付けられるようにしている。
【００１７】
軸筒１０は、図示例によれば、前側軸筒１１に、後側軸筒１２を接続してなる長尺筒状の部材である。
この軸筒１０の後端側には、後述する押子ガイド体５０のガイド孔５１ａ及び挿入孔５１ｃ（図３参照）に連通する窓部１２ｃ、同押子ガイド体５０のガイド孔５１ｄ及び挿入孔５１ｆ（図４参照）に連通する窓部１２ｂが設けられる。
この軸筒１０の他例としては、一本の筒体からなる態様や、筒体の先端側に先細状の先口を接続した態様、軸方向に接続された３本以上の筒体からなる態様等とすることが可能である。
【００１８】
複数のリフィール２１，２２のうち、一つはシャープペンシル用リフィール、他方のものはボールペン用リフィールである。
シャープペンシル用リフィール２１は、筆記部２１ａ側の段部２１ｂを軸筒１０前端の開口部１１ａ１の内縁に係止された状態で、圧縮スプリング２１ｃよりも後側の芯タンク２１ｄが押されて軸方向へ往復動することによって、筆記部２１ａから鉛芯を繰り出す周知構造を有する。
また、各ボールペン用リフィール２２は、インクが充填されたインク収容管２２ｂの前端に、回転自在に転写ボールを抱持したチップ２２ａを嵌着してなる。
【００１９】
リフィールガイド部材３０は、軸筒１０内における軸方向の中央よりも若干後側に固定され、シャープペンシル用リフィール２１及びボールペン用リフィール２２，２２のそれぞれを軸方向へ貫通挿入するとともに、リフィール２１，２２のそれぞれに環装された付勢部材３１の先端部を受けている。
【００２０】
押子ガイド体５０は、クリップ支持用押子４１及び直接操作用押子４２のそれぞれを、リフィール２１，２２前端が軸筒１０前端から突出した前進位置と、同リフィール２１，２２が軸筒１０内に没入した後退位置との間でスライドさせるように支持している。
さらに、この押子ガイド体５０は、クリップ支持用押子４１又は直接操作用押子４２を前記前進位置で係止した状態で、軸筒１０に相対して軸方向へ往復動するように設けられ、その往復動操作のためのノック部５２を、軸筒１０後端に挿通して後方へ突出している。
この構成によれば、クリップ支持用押子４１を前記前進位置で後退不能に係止した状態で、ノック部５２がノック操作されると、押子ガイド体５０の往復運動がクリップ支持用押子４１を介してシャープペンシル用リフィール２１の後部側に伝達され、シャープペンシル用リフィール２１前端から鉛芯が繰り出される。
【００２１】
押子ガイド体５０の形状について、さらに詳細に説明すれば、この押子ガイド体５０は、図３及び図４に示すように、クリップ支持用押子４１及び直接操作用押子４２の進退を案内するガイド筒部５１と、軸筒１０後端から外部へ突出するノック部５２とを具備する略段付筒状に形成される。
【００２２】
ガイド筒部５１は、後側軸筒１２の後端側に内在され、軸方向へスライド可能な略筒状に形成され、その外周側に、クリップ支持用押子４１の進退を案内するガイド孔５１ａと、前進位置となった際のクリップ支持用押子４１の後端を係止する係止段部５１ｂと、クリップ支持用押子４１を軸筒外から軸筒内へ挿入するための挿入孔５１ｃとを有する。
さらに、このガイド筒部５１は、前記ガイド孔５１ａとは周方向にずれた位置に、直接操作用押子４２の進退を案内するガイド孔５１ｄと、該ガイド孔５１ｄの表側の縁の前端側に配置されて前進位置となった際の直接操作用押子４２の後端を係止する係止段部５１ｂと、ガイド孔５１ｄの前方に連続するとともに該ガイド孔５１ｄよりも軸筒径方向の幅が大きい挿入孔５１ｆとを有する。
【００２３】
ガイド孔５１ａは、押子ガイド体５０の周壁を軸筒径方向へ貫通するとともに軸筒軸方向へわたる長尺矩形状の孔であり、後述するクリップ支持用押子４１の被ガイド部を遊嵌する幅に形成される。
ガイド孔５１ａの後端側の縁５１ａ２は、後退した際のクリップ支持用押子４１の後端部に対し、凹凸状に嵌り合って、クリップ支持用押子４１のがたつきを防止する。
【００２４】
係止段部５１ｂは、前記ガイド孔５１ａの表側の縁５１ａ１の前端側に、軸筒中心方向へ階段状に凹むようにして設けられる。
【００２５】
また、挿入孔５１ｃは、ガイド孔５１ａの前方に連続する貫通孔である。
この挿入孔５１ｃの軸筒径方向の幅は、ガイド孔５１ａの軸筒径方向の幅よりも大きく、且つクリップ支持用押子４１の最大幅よりも若干大きい寸法に設定されている。
そして、この挿入孔５１ｃの軸筒軸方向の長さは、ガイド孔５１ａの軸筒軸方向の長さよりも短く、且つクリップ支持用押子４１の支持突部４１ｂの軸筒軸方向の長さよりも若干長い寸法に設定されている。
【００２６】
また、他方のガイド孔５１ｄは、押子ガイド体５０の周壁を軸筒径方向へ貫通するとともに軸筒軸方向へわたる長尺矩形状の孔であり、後述する直接操作用押子４２の被ガイド部を嵌め合わせて前後へ導くことが可能な幅に形成される（図３及び図４参照）。
このガイド孔５１ｄ前端側の係止段部５１ｅは、前記ガイド孔５１ｄの表側の縁の前端側に、軸筒中心方向へ階段状に凹むようにして設けられる。
ガイド孔５１ｄ前方側に連続する挿入孔５１ｆは、後述する直接操作用押子４２の操作突部４２ｂを挿通可能であって、前記抜止突起４２ｄを挿通不能な幅に形成される。
【００２７】
なお、図３中、符号５１ｇは、軸筒１０内周面の図示しない凸部に嵌り合って、押子ガイド体５０を回転不能に保持する凹部である。
【００２８】
また、クリップ支持用押子４１は、その前端側がスペーサ４３を介してシャープペンシル用リフィール２１の後端部に接続され、前記付勢部材３１によって後方へ付勢されている。このクリップ支持用押子４１の後端側には、軸筒１０外に突出してクリップ６０を開閉回動可能に支持する支持突部４１ｂが設けられる。
このクリップ支持用押子４１は、装着される前記クリップ部６０が指等でスライド操作されることで進退する。
【００２９】
クリップ支持用押子４１は、ガイド孔５１ａ及び挿入孔５１ｃから容易に抜き出されることのないように、ガイド孔５１ａと挿入孔５１ｃを合わせた軸筒軸方向の長さよりも長く形成され、その後端寄りに抜止突起４１ｆを配置している。
【００３０】
このクリップ支持用押子４１は、図２に示すように、ガイド孔５１ａの表側の縁５１ａ１に摺接して前後へスライドするように設けられたスライド部４１ａと、スライド部４１ａの後端側における軸筒径外方向側に突設された支持突部４１ｂと、スライド部４１ａの軸筒中心側の面から軸筒中心方向へ突設されてガイド孔５１ａに嵌め合わせられる被ガイド部４１ｃと、被ガイド部４１ｃの軸筒中心側で軸筒径方向の両側へ突出する抜止突起４１ｆと、被ガイド部４１ｃの最後端部に設けられた掛止凹部４１ｇとを有する。
【００３１】
スライド部４１ａは、ガイド孔５１ａよりも幅（軸筒径方向の寸法）が広く、且つガイド孔５１ａの表側の縁５１ａ１に沿うように軸筒軸方向へ延設された長尺状を呈する。このスライド部４１ａの軸筒中心側の面は、ガイド孔５１ａの表側の縁５１ａ１に安定して接触するように平坦面状に形成される。
【００３２】
支持突部４１ｂは、軸筒１０外へ突出してクリップ６０を揺動自在に支持するための突起であり、クリップ６０の回動支点となる凹状のクリップ支点部４１ｂ１と、クリップ６０の後端側を弾発するコイルスプリング６１を装着するためのスプリング装着部４１ｂ２とを有する。
この支持突部４１ｂは、押子ガイド体５０の挿入孔５１ｃを通過するように、軸筒軸方向の寸法、及び幅寸法（軸筒周方向の寸法）が設定されている。
【００３３】
被ガイド部４１ｃは、スライド部４１ａの軸筒中心側の面における幅方向の中心寄りの部分から、軸筒中心方向へ向かって突出する突起であり、クリップ支持用押子４１全体の後部寄りに位置するとともに、軸筒軸方向へわたる長尺状に設けられる。
この被ガイド部４１ｃは、押子ガイド体５０のガイド孔５１ａに嵌り合って前後へ導かれるように、その幅寸法（軸筒周方向の寸法）が設定されている。また、この被ガイド部４１ｃの長さ方向（軸筒軸方向）の寸法は、ガイド孔５１ａ（図３参照）の長さよりも若干長い寸法に設定される。
【００３４】
そして、前記被ガイド部４１ｃにおける軸筒中心側の縁には、他の押子４２に係合させるための前後二つの係合突起４１ｄ，４１ｅが設けられる。
前側の係合突起４１ｄは、前進位置で掛止されている他の押子４２の掛止状態を解除する場合に、その押子４２に対し後方から当接する突起である。
後側の係合突起４１ｅは、前進位置で掛止されている当該クリップ支持用押子４１の掛止状態を解除する場合に、他の押子４２によって後方から当接される突起である。
【００３５】
また、抜止突起４１ｆは、被ガイド部４１ｃにおける軸筒中心側で幅方向（軸筒周方向）の両側へ突出して、ガイド孔５１ａの裏側に掛止される突起である。両側の抜止突起４１ｆの幅寸法（軸筒周方向の寸法）は、ガイド孔５１ａの幅寸法よりも大きく設定される。
【００３６】
この抜止突起４１ｆは、支持突部４１ｂのクリップ支点部４１ｂ１よりも後方側に配置されている。この構成によれば、クリップ支持用押子４１の後端部側が抜止突起４１ｆによってクリップ支点部４１ｂ１よりも後側でガイド孔５１ａの裏側に掛止されるため、クリップ６０におけるクリップ支点部４１ｂ１よりも後端側の部分が軸筒１０から離れる方向へ強引に引張られて、クリップ支持用押子４１後部側が反るようにして変形されてしまうようなことを、防止することができる。
【００３７】
また、抜止突起４１ｆは、クリップ支持用押子４１が前進して係合部５１ｂに掛止された際も（図７参照）、ガイド孔５１ａの裏側に対して少なくとも部分的に重なるように配置される。この構成によれば、クリップ支持用押子４１が前進位置で係合部５１ｂに掛止された状態で、クリップ６０が軸筒１０から離れる方向へ引張られた場合でも、抜止突起４１ｆをガイド孔５１ａにおける縁５１ａ３の前端部に当接させて、クリップ支持用押子４１が容易に外されてしまうのを防止することができる。
【００３８】
また、掛止凹部４１ｇは、被ガイド部４１ｃの最後端部に後方向きに形成された凹部であり、クリップ支持用押子４１の後退位置で、ガイド孔５１ａ後端の縁５１ａ２に凹凸状に嵌り合う。
この掛止凹部４１ｇの底部４１ｅ１は、軸筒軸方向において、抜止突起４１ｆの後端部４１ｆ１と同位置、又は後端部４１ｆ１に近接する位置となるように配置されている。この構成によれば、掛止凹部４１ｇ及び抜止突起４１ｆの協働作用によって、クリップ支持用押子４１の後端側がガイド孔５１ａから引き抜かれたり、クリップ支持用押子４１の後端側ががたついたり等するのを、効果的に防ぐことができる。
【００３９】
また、直接操作用押子４２は、図示例によれば、その前端側がボールペン用リフィール２２に接続され、前記付勢部材３１によって後方へ付勢されている。この直接操作用押子４２の後端側には、指等によって直接操作される操作突部４２ｂが設けられる。
【００４０】
この直接操作用押子４２は、図８に示すように、ガイド孔５１ｄの表側の縁に摺接して前後へスライドするように設けられたスライド部４２ａと、スライド部４２ａの後端側における軸筒径外方向側に突設された操作突部４２ｂと、スライド部４２ａの軸筒中心側の面から軸筒中心方向へ突設されてガイド孔５１ｄに嵌め合わせられる被ガイド部４２ｃと、スライド部４２ａから軸筒径方向の両側へ突出する抜止突起４２ｄとを有する。
【００４１】
スライド部４２ａは、ガイド孔５１ｄよりも軸筒径方向の幅が広く、且つガイド孔５１ｄの表側の縁に沿うように軸筒軸方向へ延設された長尺状を呈する。このスライド部４２ａの軸筒中心側の面は、ガイド孔５１ｄの表側の縁に安定して接触するように平坦面状に形成される。
【００４２】
操作突部４２ｂは、外部から進退操作されるように、軸筒１０外へ突出する突起である。この操作突部４２ｂは、ガイド孔５１ｄ及び挿入孔５１ｆ（図４参照）を通過可能なように、その幅寸法（軸筒径方向の寸法）が設定されている。
【００４３】
被ガイド部４２ｃは、クリップ支持用押子４１の被ガイド部４１ｃと略同形状に形成される。この被ガイド部４２ｃの軸筒中心側には、前記被ガイド部４１ｃと略同様にして、係合突起４２ｅ，４２ｆを有する。
【００４４】
また、抜止突起４２ｄは、スライド部４２ａにおける長さ方向の中央寄りであって軸筒中心寄りに配置され、スライド部４２ａの幅方向端部から軸筒径方向の両側へ突出するように設けられる。これら両側の抜止突起４２ｄの幅寸法（軸筒径方向の寸法）は、押子ガイド体５０のガイド孔５１ｄ及び挿入孔５１ｆ（図４参照）を通過不能な大きさに設定されている。したがって、直接操作用押子４２は、ガイド孔５１ｄ及び挿入孔５１ｆに対しその外周側からは内部へ挿入不能であり、押子ガイド体５０の前端から内部へ挿入される。
【００４５】
上記構成のクリップ支持用押子４１及び直接操作用押子４２は、それぞれ、付勢部材３１によって後方へ付勢される。付勢部材３１は、圧縮コイルスプリングであり、クリップ支持用押子４１及び直接操作用押子４２が前進位置で掛止された状態よりも若干前進した際に、全密着となるように設けられる。
【００４６】
また、クリップ部６０は、開閉操作機能付クリップであり、その後端部が軸筒中心方向へ押圧されることで、前端部を軸筒１０外周面から離間するように開放し、前記押圧力が除去されると、コイルスプリング６１の付勢力によって前端部を軸筒１０外周面に接近させるように、クリップ支持用押子４１後端側の支持突部４１ｂに枢支されている。
【００４７】
次に、上記構成のクリップ支持用押子４１を軸筒１０及び押子ガイド体５０に組み付ける手順について説明する。
図６は、主要な係合関係を明瞭にするために、軸筒１０を省き、押子ガイド体５０に対してクリップ支持用押子４１を組み付ける手順を示すが、実際には押子ガイド体５０の周囲が軸筒１０によって覆われた状態で、図示と同様にしてクリップ支持用押子４１が組みつけられる。
【００４８】
先ず、クリップ支持用押子４１がその前端側から挿入孔５１ｃに挿入される（図６（ａ）参照）。そして、クリップ支持用押子４１の支持突部４１ｂが挿入孔５１ｃ内へ押し込まれる。
【００４９】
次に、クリップ支持用押子４１は、軸筒１０及び押子ガイド体５０の軸心と略平行に保持され、軸筒後方へずらすようにして移動される（図６（ｂ）（ｃ）参照）。
この移動によって、被ガイド部４１ｃがガイド孔５１ａに嵌り合うとともに、抜止突起４１ｆがガイド孔５１ａの裏側の縁５１ａ３に掛合する。したがって、クリップ支持用押子４１は、ガイド孔５１ａから径外方向（図６の上方）へ引き抜かれることなく、後方へスライドする。
【００５０】
そして、ガイド孔５１ａの最後端部まで移動したクリップ支持用押子４１は、該クリップ支持用押子４１後端の掛止凹部４１ｇを、ガイド孔５１ａ後端の縁５１ａ２に凹凸状に嵌め合わせる（図６（ｃ）参照）。
【００５１】
図６（ｃ）に示す装着状態では、支持突部４１ｂが径外方向（図６の上方）へ引っ張られたとしても、抜止突起４１ｆがガイド孔５１ａの裏側の縁５１ａ３に掛止し、さらに掛止凹部４１ｇがガイド孔５１ａ後端の縁５１ａ２に掛止されるため、クリップ支持用押子４１がガイド孔５１ａから容易に外されることはない。
【００５２】
組み付けられたクリップ支持用押子４１は、ガイド孔５１ａ及び挿入孔５１ｃの最前端部まで移動すれば、軸径方向へ外すことが可能であるが、通常状態では、付勢部材３１（コイルスプリング）が全密着してクリップ支持用押子４１の前進を阻止するため、クリップ支持用押子４１が前記最前端部まで移動して外れてしまうことはない。
【００５３】
よって、クリップ支持用押子４１を外部から容易に組み付けることができる上、該押子４１が誤って外れてしまうのを効果的に防ぐことができる。
しかも、抜止突起４１ｆ及び掛止凹部４１ｇによる相乗効果によって、クリップ支持用押子４１の移動中のがたつき、クリップ６０の開閉動作によるがたつき等を効果的に軽減することができる。
【００５４】
また、直接操作用押子４２は、上記のようにしてクリップ支持用押子４１が組み付けられる前に、押子ガイド体５０内の前方側から組み付ければよいが、逆に、クリップ支持用押子４１が組み付けられた後に、押子ガイド体５０内の前方側から組み付けることも可能である。
【００５５】
なお、上記構成によれば、シャープペンシル用リフィール２１に対するノック操作を可能にするために、軸筒１０内に進退可能な押子ガイド体５０を設けたが、他例として、軸筒１０内に収容されるリフィールを全てシャープペンシル用リフィール２１以外のリフィール（例えば、ボールペン用リフィール２２や入力ペン用リフィール等）とした場合には、押子ガイド体５０を省き、軸筒１０の周壁に直接的にクリップ支持用押子４１及び直接操作用押子４２を係合する構造としてもよい。
【００５６】
また、上記実施の形態によれば、直接操作用押子４２は、軸筒１０内側からガイド孔５１ｄに係合される構造としたが、他例としては、クリップ支持用押子４１の場合と同様に、軸筒１０外周側からガイド孔５１ｄに掛止される構造とすることも可能である。この場合には、挿入孔５１ｆの幅寸法（軸径方向の寸法）を直接操作用押子４２の両抜止突起４２ｄの幅よりも大きくし、両抜止突起４２ｄが挿入孔５１ｆに通過するようにすればよい。
【００５７】
また、図示例によれば、クリップ支持用押子４１単体を組み付ける手順を示しているが、本実施の形態の出没式筆記具１は、クリップ支持用押子４１に、リフィール２１（又は２２）、付勢部材３１及びクリップ６０が装着された状態であっても、図６に示す手順でのクリップ支持用押子４１の組み付けが可能である。また、逆の手順を行えば、クリップ支持用押子４１を外すことも可能である。
【符号の説明】
【００５８】
１：出没式筆記具                  １０：軸筒
１２ｃ：窓部                      ２１：シャープペンシル用リフィール
２１ａ：筆記部                    ４１：クリップ支持用押子
４１ａ：スライド部                ４１ｂ：支持突部
４１ｂ１：クリップ支点部          ４１ｃ：被ガイド部
４１ｆ：抜止突起                  ４２：直接操作用押子
５０：押子ガイド体                ５１ａ：ガイド孔
５２：ノック部
【図１】
0005711019.tif 000002
【図２】
0005711019.tif 000003
【図３】
0005711019.tif 000004
【図４】
0005711019.tif 000005
【図５】
0005711019.tif 000006
【図６】
0005711019.tif 000007
【図７】
0005711019.tif 000008
【図８】
0005711019.tif 000009